(57)【特許請求の範囲】
【請求項１】
一端に掃除機本体に接続された蛇腹ホースが接続され、他端に延長管が接続された曲がりパイプ及びこの曲がりパイプの上方に握り部を有する電気掃除機のホース手元部の製造方法において、前記曲がりパイプの蛇腹ホースの接続側及び前記握り部を一体型の内側金型を使用して一体成形し、成形後前記内側金型を一方向に引き出して取り外すことを特徴とする電気掃除機のホース手元部の製造方法。
【発明の詳細な説明】
【０００１】
【発明の属する技術分野】
この発明は、電気掃除機のホース手元部の製造方法に関する。
【０００２】
【従来の技術】
図６は、例えば実公平８−８７６２公報に示された従来の電気掃除機のホース手元部の断面図、図７は図６のＡ−Ａ断面図である。図において４は蛇腹ホース、３は一端が蛇腹ホース４に連結され、他端が延長管（図示せず）に着脱自在に連結される曲りパイプ、２２は曲りパイプ３の上面側に一体形成された上面開口の下ケースで、この下ケース２２の上面開口部をカバー部材２１により覆って、取っ手部８を形成している。取っ手部８は延長管側のカバー部材２１に設けられた操作部６と、蛇腹ホース側に設けられた握り部７から構成される。カバー部材２１は、係止爪とネジ（図示せず）により曲りパイプ３に固定して、下ケース２２とカバー部材２１とを一体化している。
【０００３】
使用時には、取っ手部８を把持し、床吸込口を移動させ、掃除操作を行う。この取っ手部８の前方に操作部６が位置するので、取っ手部８を把持した状態で操作部６の操作をすることができる。
【０００４】
また、図８は図６と同様な構造の従来のサーベル型取っ手を有する電気掃除機のホース手元部の側面図であり、図９は図８の部分断面図で曲りパイプ３と下ケース２２の成形方法を示している。図１０は図９のＡ−Ａ断面図である。図において図６と同一または相当部分には同じ符号を付し、説明を省略する。
【０００５】
この構成のにおいて、曲りパイプ３と下ケース２２は樹脂により成形するが、その方法は、まず、図９に示すように曲りパイプ３の蛇腹ホース側用内側金型２３、下ケース用内側金型２４、延長管側用内側金型２５を各々の位置に配置し、図１０に示すようにこれらの金型を曲りパイプ３、下ケース２２の厚みに相当する間隙を保つように、外側金型２７、２８で囲む。
【０００６】
次に、蛇腹ホース側用内側金型２３、下ケース用内側金型２４、延長管側用内側金型２５を外側金型２７、２８で囲んで形成された間隙に樹脂を注入する。
そして、樹脂が固まったら、図１０に示すように外側金型２７、２８を各々Ｄ、Ｅ方向に取り外す。次に、図９に示すように、蛇腹ホース側用内側金型２３、下ケース用内側金型２４、延長管側用内側金型２５を各々Ａ、Ｂ、Ｃ方向に取り外す。このようにして、曲りパイプ３と下ケース２２が一体成形される。
カバー部材２１の成形は、別途、カバー部材用金型（図示せず）を使用して樹脂で成形する。
【０００７】
【発明が解決しようとする課題】
しかしながら、上記のような従来の電気掃除機の手元ホース部は、ホース手元部の先端に延長管やブラシ（図示せず）を接続して使用するので、発生する応力がホース手元部の特に握り部７に集中するため、握り部７は樹脂の特性上から変形する場合があった。
そして、握り部７が変形したときは、握り部７のカバー部材２１と下ケース２２に隙間が生じてこの隙間が握り部７を握る手を挟むことがあった。
また、握り部７が変形したときは、カバー部材２１と下ケース２２のズレ発生により、きしみ音が発生するという問題があった。
そして、これらの問題点を回避するためには、固定個所を多く設けるという策が最も有効と考えられるが部品点数が増加し、製造方法も複雑になるという問題があった。
【０００８】
この発明は上記のような問題点を解消するためになされたもので、部品点数を少なくして変形が生じなく、スペースが有効に利用でき、製造方法が簡単な電気掃除機ホースの手元部の製造方法を提供することを目的とする。
【０００９】
【課題を解決するための手段】
この発明に係わる電気掃除機のホース手元部の製造方法は、一端に掃除機本体に接続された蛇腹ホースが接続され、他端に延長管が接続された曲がりパイプ及びこの曲がりパイプの上方に握り部を有する電気掃除機のホース手元部の製造方法において、前記曲がりパイプの蛇腹ホースの接続側及び前記握り部を一体型の内側金型を使用して一体成形し、成形後前記内側金型を一方向に引き出して取り外すものである。
【００１２】
【発明の実施の形態】
実施の形態１．
図１はこの発明の実施の形態１の電気掃除機のホース手元部の側面図、図２はホース手元部の製造方法を示す部分破断側面図、図３は図２のＡ−Ａ断面図である。図１、２において４は蛇腹ホース、３は一端が蛇腹ホース４に連結され、他端が延長管５に着脱自在に連結され、樹脂により成形された曲りパイプであり、延長管５が接続される側の端部と上方に開口部を有する延長管側パイプ３ａと蛇腹ホース４が接続される側の蛇腹ホース側パイプ３ｂ及び後述の握り部７と延長管側パイプ３ａの間の上方が開口した部分の上方開口部３ｃからなる。
【００１３】
７は曲りパイプ３の蛇腹ホース４側の上方に略円形に一体形成された握り部であり、軸方向が蛇腹ホース側パイプ３ｂと同じ方向である。また、握り部７の端部は中空であり、他端部に仕切部７ａが設けられている。２は曲がりパイプ３の延長管側パイプ３ａの上部の開口部を覆うカバー、６はカバー２に設けられた操作部であり、握り部７と操作部６により取っ手部８を形成している。２５は蛇腹ホース４と曲がりパイプ３の接続部を被覆するカバーである。
【００１４】
使用時には、取っ手部８を把持し、床吸込口（図示せず）を移動させ、掃除操作を行う。この取っ手部８の前方に操作部６が位置するので、取っ手部８を把持した状態で操作部６の操作をする。
【００１５】
次にホース手元部の製造方法について図２、３により説明する。図において９は曲りパイプ３の蛇腹ホース側パイプ３ｂ用と握り部７用の内側一体金型であり、蛇腹ホース側パイプ用内側金型９ａと握り部用内側金型９ｂから構成され、蛇腹ホース側パイプ用内側金型９ａと握り部用の内側金型９ｂの軸方向は同一である。
【００１６】
まず、曲りパイプ３の蛇腹ホース側パイプ３ｂと握り部７については、内側金型９の蛇腹ホース側パイプ用内側金型９ａと握り部用内側金型９ｂを図２に示す位置に配置する。延長管側パイプ３ａと上方開口部３ｃも同様に延長管側パイプ用内側金型（図示せず）と上方開口部用内側金型（図示せず）を図２の相当する位置に配置する。
【００１７】
次に、図３に示すように蛇腹ホース側パイプ３ｂ、握り部７、延長管側パイプ３ａ及び上方開口部３ｃの各々の厚みに相当する間隙を保つようにして、外側金型１０、１１で囲む。
【００１８】
次に、蛇腹ホース側パイプ３ｂ、握り部７、延長管側パイプ３ａ及び上方開口部３ｃを外側金型１０、１１で囲んで形成された間隙に樹脂を注入する。
そして、樹脂が固まったら、図３に示すように外側金型１０、１１を各々Ｂ、Ｃ方向に取り外す。
次に、図２に示すように、内側金型９をＡ方向に取り外と、蛇腹ホース側パイプ用内側金型９ａと握り部用内側金型９ｂが同時に引き出される。同様にして延長管側パイプ用内側金型は延長管５方向に、上方開口部用内側金型は開口側方向に取り外す（図示せず）。このようにして、曲りパイプ３と握り部７が一体成形される。
カバー２の成形は図示してないが、カバー２用の金型を使用して別に成形する。成形されたカバー２を係止爪とネジ等により曲りパイプ３に固定する。
【００１９】
以上のように、曲がりパイプ３及び握り部７を一体成形したので変形を防ぐことができ、握る手を挟むこともなく、きしみ音を防ぐことができる。
また、部品点数を少なくすることができる。
また、握り部７に仕切部７ａを設けたので、強度が増加し変形をより少なくするとともに操作部６の内側に塵埃が入るのを防ぐことができる。
また、成形時に、曲がりパイプ３の蛇腹ホース側パイプ３ｂ及び握り部７を一体型の内側金型９を使用して一体成形し、成形後、内側金型９を一方向に引き出して取り外すので、製造方法を簡単にすることができる。
【００２０】
実施の形態２．
この発明の実施の形態２は実施の形態１で示した握り部７の中空部の利用に関するものである。図４、５は実施の形態２を示す電気掃除機のホース手元部の部分破断図である。図４、５において実施の形態１を示す図１と同一または相当する部分には同じ符号を付し説明を省略する。図４の２６は握り部７の中空部、１２はこの中空部２６に保持されたノズルである。
【００２１】
この構成において、掃除中にノズル１２が必要になれば、ノズル１２を中空部２６から外して、延長管５に取付け使用する。
【００２２】
図５において１３は中空部２６に保持され、リモコン制御等の電源に使用される電池（電池接続部は図示せず）、１４は中空部２６を覆う蓋である。
【００２３】
以上のように、握り部７の中空部２６を有効に使用して、スペースを有効に利用することができる。
【００２４】
【発明の効果】
以上のように、この発明によれば、一端に掃除機本体に接続された蛇腹ホースが接続され、他端に延長管が接続された曲がりパイプ及びこの曲がりパイプの上方に握り部を有する電気掃除機のホース手元部の製造方法において、前記曲がりパイプの蛇腹ホースの接続側及び前記握り部を一体型の内側金型を使用して一体成形し、成形後前記内側金型を一方向に引き出して取り外すので、部品点数を少なくして製造方法を簡単にすることができる。
【図面の簡単な説明】
【図１】  この発明の実施の形態１を示す電気掃除機のホース手元部の側面図である。
【図２】  この発明の実施の形態１のホース手元部の製造方法を示す部分破断側面図である。
【図３】  図２のＡ−Ａ断面図である。
【図４】  この発明を示す実施の形態２を示す電気掃除機のホース手元部の部分破断図である。
【図５】  この発明を示す実施の形態２を示す電気掃除機のホース手元部の部分破断図である。
【図６】  従来の電気掃除機のホース手元部の断面図である。
【図７】  図６のＡ−Ａ断面図である。
【図８】  従来の電気掃除機のホース手元部の側面図である。
【図９】  図８の部分断面図である。
【図１０】  図９のＡ−Ａ断面図である。
【符号の説明】
２  カバー、３  曲りパイプ、３ａ  延長管側パイプ、３ｂ  蛇腹ホース側パイプ、３ｃ  上方開口部、４  蛇腹ホース、５  延長管、６  操作部、７  握り部、７ａ  仕切部、８  取っ手部、２５  カバー。
【図１】
0003855147.tif 000002
【図２】
0003855147.tif 000003
【図３】
0003855147.tif 000004
【図４】
0003855147.tif 000005
【図５】
0003855147.tif 000006
【図６】
0003855147.tif 000007
【図７】
0003855147.tif 000008
【図８】
0003855147.tif 000009
【図９】
0003855147.tif 000010
【図１０】
0003855147.tif 000011